(57)【要約】【課題】リセット棒の不用意な自動リセット状態及び手動リセット状態の間の切り替わりを防止し、動作信頼性を高めた熱動形過負荷継電器を提供する【解決手段】手動リセット位置のリセット棒４３は、頭部４６に形成した手動リセット用回転規制面５１が、スライドカバー５５に設けたリセット棒通過窓５５ａのカバー側回転規制面５５ｅに当接して回転が規制される。また、自動リセット位置のリセット棒４３も、頭部４６に形成した自動リセット用回転規制凹部５０の凹部底面５０ａが、スライドカバー５５に設けたリセット棒通過窓５５ａのカバー側回転規制面５５ｅに当接して回転が規制される。【選択図】図１２
2012146400.tif 000002
【特許請求の範囲】
【請求項１】
ケース内に、過負荷電流を検知して湾曲変位するバイメタルと、このバイメタルに連動するシフタの変位に従動する釈放レバーと、この釈放レバーの回動により反転動作を行なって接点を切り替える接点反転機構と、前記釈放レバー及び前記接点反転機構を操作する操作部とを配置し、前記操作部は、前記接点反転機構を初期状態に復帰させるリセット棒を前記ケース内から外部に突出させて設けており、前記リセット棒を、押し込み自在な手動リセット位置と、押し込み操作及び回転操作を行なうことで押し込み状態に保持される自動リセット位置と、に切り替えるようにした熱動形過負荷継電器において、
前記ケースに、前記操作部を覆うことが可能なスライド自在なカバーを装着し、
このカバーに、前記リセット棒の頭部が通過する長穴形状のリセット棒通過窓が長軸方向を前記カバーのスライド方向に向けて形成されており、
前記手動リセット位置及び前記自動リセット位置では、前記操作部を覆う方向に前記カバーをスライドさせることで前記リセット棒が前記リセット棒通過窓の長軸方向の一方側に位置し、且つ、回転規制部により前記リセット棒の回転操作が不可能とされていることを特徴とする熱動形過負荷継電器。
【請求項２】
前記リセット棒通過窓の長軸方向の他方側を、前記リセット棒の回転操作が可能な手動・自動リセット変更位置とし、
前記リセット棒通過窓の長軸方向の一方側の縁部に、カバー側回転規制面を設け、
前記リセット棒の前記頭部に、前記手動リセット位置のときに前記カバー側回転規制面に当接する手動リセット用回転規制面と、前記自動リセット位置のときに前記カバー側回転規制面に当接する自動リセット用回転規制面とを設け、
前記カバー側回転規制面、前記手動リセット用回転規制面及び前記自動リセット用回転規制面を、前記回転規制部としてなることを特徴とする請求項１記載の熱動形過負荷継電器。
【請求項３】
前記操作部は、前記釈放レバーに係合して整定電流の調整を行なう調整ダイヤルを備え、前記カバーは、前記調整ダイヤルの調整部に対応した大きさのダイヤル窓を形成しており、
前記手動リセット位置及び前記自動リセット位置では、スライドした前記カバーにより前記調整部が覆われることを特徴とする請求項１又は２記載の熱動形過負荷継電器。
【発明の詳細な説明】
【技術分野】
【０００１】
本発明は、過電流を検知したときに接点の切り替えを行なう熱動形過負荷継電器に係わり、特にトリップ状態、初期状態に復帰させる操作部の改良に関する。
【背景技術】
【０００２】
主回路に流れる過負荷電流を検知して作動する熱動形過負荷継電器として、例えば特許文献１の装置が知られている。
特許文献１の熱動形過負荷継電器を、図１５及び図１６を参照して説明する。
図１５に示すように、樹脂モールド製の絶縁ケース１内に、三相の各電路に挿入され、ヒータ２ａが巻回された主バイメタル２と、これら主バイメタル２の自由端のそれぞれに係合され、絶縁ケース１に移動可能に支承されているシフタ３と、シフタ３の一端に係合可能に絶縁ケース１内に配置された開閉機構４と、開閉機構４の動作により接点の切り替えを行なう接点反転機構５が収納されている。
【０００３】
開閉機構４は、図１６にも示すように、シフタ３の一端に係合する温度補償バイメタル７と、この温度補償バイメタル７の他端が固定されている釈放レバー８と、下端から突出したピン９を介して釈放レバー８に連結し、絶縁ケース１に回転自在に配置した調整ダイヤル１１（偏心カム１１ａの周面）に上端が当接している調整カム１２とを備えている。なお、釈放レバー８の回動角度は、調整ダイヤル１１の調整により、調整ダイヤル１１の偏心カム１１ａの周面に当接する調整カム１２の位置を変化させ、支軸１３回りに微小に回動させることで設定され、このように釈放レバー８の回動角度を設定することで、整定電流の調整が行なわれるようになっている。
【０００４】
接点反転機構５は、釈放レバー８に下端部が固定されて上方に延在している反転ばね１４と、この反転ばね１４の先端部が係合しているとともに、常開側可動接点１５ｂ及び常閉側可動接点１６ａを移動させるスライダ１７と、スライダ１７を定常位置に手動で移動させるリセット棒１８とを備えている。また、接点反転機構５は、前述した常開側可動接点１５ｂ及び常閉側可動接点１６ａと、これらに対向配置された常開側固定接点１５ａ及び常閉側固定接点１６ｂとを備えている。反転ばね１４は、薄板ばね材の打ち抜きにより打ち抜き部１４ａが形成され、打ち抜き部１４ａの周囲に皿ばね形状の湾曲面が形成された部材であり、図１５の定常状態では、反転ばね１４は、右方向に凸状に湾曲している。
【０００５】
上記構成において、過負荷電流によってヒータ２ａが発熱して主バイメタル２が湾曲すると、その自由端の変位によってシフタ３が図１４の符号Ｐの矢印方向に移動する。シフタ３が移動すると、温度補償バイメタル７の自由端が押圧されて釈放レバー８が揺動ピン９回りに反時計方向に回動する。
そして、釈放レバー８の反時計方向の回動が進行すると、反転ばね１４は左方向に凸状に湾曲するように変形し、この反転ばね１４の変形により、反転ばね１４の先端部に係合しているスライダ１７を、常開側可動接点１５ｂ及び常開側固定接点１５ａが閉状態となり、常閉側可動接点１６ａ及び常閉側固定接点１６ｂが開状態となるように移動させる。このような開閉機構４の反転動作により、常開側可動接点１５ｂ及び常開側固定接点１５ａの閉状態、常閉側可動接点１６ａ及び常閉側固定接点１６ｂの開状態の情報を基に、例えば主回路に接続した電磁接触器（不図示）を開極動作させて過負荷電流を遮断する。
【０００６】
熱動形過負荷継電器がトリップ状態となって電磁接触器の通電電流が遮断されると、主バイメタル２は冷却されて初期状態に復帰するが、リセット動作を加えなければ、反転ばね１４が逆方向に（右方向に凸状に湾曲）変形せず、スライダ１７も逆方向に移動せず、接点反転機構５は初期状態に復帰しない。
接点反転機構５を初期状態に復帰するには、リセット棒１８を押し込むことで、反転ばね１４を逆方向に変形し、それに伴いスライダ１７も逆方向に移動させる。
【０００７】
このようなリセット棒１８を使用した復帰動作は、通常、リセット棒１８を押し込み操作して接点反転機構５を初期状態に復帰させる手動リセット状態と、リセット１８棒を押し込んだ状態に保持しておき、主バイメタル２が冷却した後に接点反転機構５を自動的に初期状態に復帰させる自動リセット状態とがあり、それらは切り換え可能になっている。
その場合、リセット棒１８が容易に自動リセット状態に切り換わってしまうと、例えば自己保持回路をとらない電磁接触器では、熱動形過負荷継電器のトリップ状態によりモータが停止しても、主バイメタルが冷却した後にモータが再起動してしまうというような問題が生じる。
【０００８】
この対策として、リセット棒の頭部が貫通するケース窓穴の周縁部に、頭部に係合する爪を設け、リセット棒を手動リセット状態から自動リセット状態に切り換える際には、爪を折り取るようにした技術が知られている（例えば、特許文献２）。
【先行技術文献】
【特許文献】
【０００９】
【特許文献１】特公平７−１６６５号公報
【特許文献２】特開２００２−２３７２４６号公報
【発明の概要】
【発明が解決しようとする課題】
【００１０】
ところで、上述した特許文献２の技術は、ケース窓穴の周縁部に設けた爪を折り取らなければ、リセット棒の手動リセット状態から自動リセット状態への不用意な切り替えを確実に防止することができる。
しかし、ケース窓穴の周縁部から爪を折り取った後は、手動リセット状態と自動リセット状態の間でリセット棒の切り替わりが自由になるので、リセット棒の不用意な自動リセット状態から手動リセット状態の切り替わり、或いは不用意な手動リセット状態から自動リセット状態への切り替わりを招くおそれがある。
そこで、本発明は、上記従来例の未解決の課題に着目してなされたものであり、リセット棒の不用意な自動リセット状態及び手動リセット状態の間の切り替わりを防止し、動作信頼性を高めた熱動形過負荷継電器を提供することを目的としている。
【課題を解決するための手段】
【００１１】
上記目的を達成するために、本発明に係る熱動形過負荷継電器は、ケース内に、過負荷電流を検知して湾曲変位するバイメタルと、このバイメタルに連動するシフタの変位に従動する釈放レバーと、この釈放レバーの回動により反転動作を行なって接点を切り替える接点反転機構と、前記釈放レバー及び前記接点反転機構を操作する操作部とを配置し、前記操作部は、前記接点反転機構を初期状態に復帰させるリセット棒を前記ケース内から外部に突出させて設けており、前記リセット棒を、押し込み自在な手動リセット位置と、押し込み操作及び回転操作を行なうことで押し込み状態に保持される自動リセット位置と、に切り替えるようにした熱動形過負荷継電器において、前記ケースに、前記操作部を覆うことが可能なスライド自在なカバーを装着し、このカバーに、前記リセット棒の頭部が通過する長穴形状のリセット棒通過窓が長軸方向を前記カバーのスライド方向に向けて形成されており、前記手動リセット位置及び前記自動リセット位置では、前記操作部を覆う方向に前記カバーをスライドさせることで前記リセット棒が前記リセット棒通過窓の長軸方向の一方側に位置し、且つ、回転規制部により前記リセット棒の回転操作が不可能とされている。
この発明によると、手動リセット位置、或いは自動リセット位置のリセット棒は、回転規制部により回転が規制されて不用意な自動リセット位置、或いは手動リセット位置への切り替わりが防止されるので、熱動形過負荷継電器の動作信頼性が高まる。
【００１２】
また、請求項２記載の発明は、請求項１記載の熱動形過負荷継電器において、前記リセット棒通過窓の長軸方向の他方側を、前記リセット棒の回転操作が可能な手動・自動リセット変更位置とし、前記リセット棒通過窓の長軸方向の一方側の縁部に、カバー側回転規制面を設け、前記リセット棒の前記頭部に、前記手動リセット位置のときに前記カバー側回転規制面に当接する手動リセット用回転規制面と、前記自動リセット位置のときに前記カバー側回転規制面に当接する自動リセット用回転規制面とを設け、前記カバー側回転規制面、前記手動リセット用回転規制面及び前記自動リセット用回転規制面を、前記回転規制部として構成した。
【００１３】
この発明によると、リセット棒通過窓の長軸方向の一方側の縁部に設けたカバー側回転規制面と、リセット棒の頭部に設けた手動リセット用回転規制面及び自動リセット用回転規制面とで、リセット棒の不用意な手動リセット位置、或いは自動リセット位置への切り替わりを防止することができるので、熱動形過負荷継電器の製造コストの低減化を図ることができる。
【００１４】
また、請求項３記載の発明は、請求項１又は２記載の熱動形過負荷継電器において、前記操作部が、前記釈放レバーに係合して整定電流の調整を行なう調整ダイヤルを備え、前記カバーは、前記調整ダイヤルの調整部に対応した大きさのダイヤル窓を形成しており、  前記手動リセット位置及び前記自動リセット位置では、スライドした前記カバーにより前記調整部が覆われている。
この発明によると、熱動形過負荷継電器の誤操作を防止することができる。
【発明の効果】
【００１５】
本発明に係る熱動形過負荷継電器によれば、手動リセット位置、或いは自動リセット位置のリセット棒は、回転規制部により回転が規制されて不用意な自動リセット位置、或いは手動リセット位置への切り替わりが確実に防止されるので、動作信頼性を高めた熱動形過負荷継電器を提供することができる。
【図面の簡単な説明】
【００１６】
【図１】熱動形過負荷継電器の外観を示す図である。
【図２】図１のＡ−Ａ方向から熱動形過負荷継電器の内部を示した要部断面図である。
【図３】熱動形過負荷継電器の調整機構を分解した図である。
【図４】調整ダイヤルに接触する調整機構を示した図である。
【図５】熱動形過負荷継電器の接点反転機構を示した図である。
【図６】（ａ）は初期状態の接点反転機構及び常開接点（ａ接点）を示す図、（ｂ）はトリップ状態の接点反転機構を示す図である。
【図７】（ａ）は初期状態の接点反転機構及び常閉接点（ｂ接点）を示す図、（ｂ）はトリップ状態の接点反転機構を示す図である。
【図８】リセット棒の形状を示す斜視図である。
【図９】ケースにスライド自在に装着されるカバーの形状を示す図である。
【図１０】手動リセット位置においてリセット棒の押し込み操作を行なった状態を示す図である。
【図１１】手動リセット位置のリセット棒及び内部構造を示す図である。
【図１２】手動リセット位置のリセット棒を示す図である。
【図１３】手動リセット位置から手動・自動リセット変更位置まで移動したリセット棒を示す図である。
【図１４】自動リセット位置のリセット棒を示す図である。
【図１５】従来の熱動形過負荷継電器の要部の初期状態を示す図である。
【図１６】従来の熱動形過負荷継電器の開閉機構を示す図である。
【発明を実施するための形態】
【００１７】
以下、本発明を実施するための最良の形態（以下、実施形態という。）を、図面を参照しながら詳細に説明する。
図１は、本発明に係る熱動形過負荷継電器の１実施形態を示すものであり、絶縁ケース１７の上面に、調整ダイヤル２８の調整部２８ａと、頭部４５が突出したリセット棒４３と、動作表示・手動トリップ操作窓４４とからなる操作部が設けられているとともに、これら操作部の操作に応じてスライド移動するスライドカバー５５が装着されている。
【００１８】
図２に示すように、絶縁ケース１７内には、主バイメタル１８の一端に係合したシフタ１９の変位に従動する調整機構２０と、調整機構２０の動作により接点が切り替わる反転機構２１とが配置されている。
調整機構２０は、図３に示すように、調整リンク２２と、この調整リンク２２に回動自在に支持された釈放レバー２３と、この釈放レバー２３に固定され、シフタ１９に係合する温度補償バイメタル２４とを備えている。調整リンク２２は、釈放レバー２３を支持するリンク支持部２５と、リンク支持部２５の一側から下方に延在している脚部２６とで構成されている。
【００１９】
リンク支持部２５は、上部に軸受穴２５ａ１が形成されて互いに対向している一対の対向板２５ａと、これら１対の対向板２５ａの間を連結し、開口部２５ｂを形成した連結板２５ｃとを備えている。脚部２６は一対の対向板２５ａの一方から下方に延在しており、その下部に軸受穴２６ａが形成されている。
そして、図２に示すように、絶縁ケース１７の下部側の内壁には、支軸２７が絶縁ケース１７内に突出して設けられており、この支軸２７の先端部が、前述した脚部２６の軸受穴２６ａに挿入されることで、調整リンク２２全体が、支軸２７を中心として回動自在に絶縁ケース１７に支持されている。
【００２０】
調整機構２０の釈放レバー２３は、図３に示すように、基板２３ａと、基板２３ａの両端から同一方向に略同一の角度で折曲された一対の折曲板２３ｂ，２３ｃとを備えている。そして、一方の折曲板２３ｂ側に、調整リンク２２の一対の軸受穴２５ａ１に挿入される一対の回動軸２３ｄ，２３ｅが形成されている。また、これら回動軸２３ｄ，２３ｅを挟んで一方側の折曲板２３ｂの端部に反転ばね押圧部２３ｆが形成されており、他方側の折曲板２３ｃにカム接触部２３ｇが形成され、折曲板２３ｂ，２３ｃが折曲されている方向に対して逆側の基板２３ａの裏面に、温度補償バイメタル２４の端部をかしめて固定するかしめ固定部３１が形成されている。
【００２１】
そして、図２から図４に示すように、釈放レバー２３のカム接触部２３ｇに、絶縁ケース１７の上面に設けた調整ダイヤル２８の偏心カム２８ｂが当接しており、釈放レバー２３の回動角度は、ドライバなどの工具の先端を調整部２８ａに係合して調整ダイヤル２８を回転し、偏心カム２８ｂの周面に当接するカム接触部２３ｇの位置を変化させ、回動軸２３ｄ，２３ｅ回りに微小に回動させることで設定されている。
【００２２】
反転機構２１は、図５及び図６（ａ）に示すように、絶縁ケース１７内に配置した反転機構支持部３２と、この反転機構支持部３２の近傍に配置され、絶縁ケース１７の内壁に設けた支軸３３に回動自在に支持された連動板３４と、反転機構支持部３２に当接した下部３５ａを支点として上部３５ｂが揺動自在に配置されている可動板３５と、可動板３５の上部３５ｂ側に設けた係合穴３５ｃ及び下部３５ａの下方位置である反転機構支持部３２のばね支持部３２ａの間に張架された引張りコイルばねからなる反転ばね３６とを備えている。
【００２３】
図６（ａ）に示すように、連動板３４には、可動板３５の反転動作、復帰動作とともに連動板３４を支軸３３回りに回動させる第１係合ピン３９ａ及び第２係合ピン３９ｂが、可動板３５に係合可能に設けられている。また、反転機構支持部３２には、常開接点（ａ接点）側板ばね３７が自由端を上方に延在した状態で並設されており、この板ばね３７の自由端側にａ接点３８の固定接点３８ａが固定され、可動板３５の上部３５ｂに、固定接点３８ａに接続するａ接点３８の可動接点３８ｂが固定されている。ここで、ａ接点側板ばね３７の上部の先端部は、リセット棒４３の後述する駒片４８に接触している。
【００２４】
また、図７（ａ）に示すように、連動板３４を間に挟んでａ接点３８に対する逆側の位置に、常閉接点（ｂ接点）側板ばね４０が自由端を上方に延在した状態で配置されているとともに、この板ばね４０に対向した状態で接点支持板４１が配置されている。板ばね４０は、自由端が連動板３４の一部に係合しており、連動板３４の回動とともに同一方向に回動する。そして、板ばね４０の自由端側にｂ接点４２の可動接点４２ｂが固定され、接点支持板４１に、可動接点４２ｂに接続するｂ接点４２の固定接点４２ａが固定されている。
【００２５】
リセット棒４３は、図８（ａ）に示すように、円柱形状の頭部４５と、頭部４５の直径より縮径された円柱形状であって頭部４５と同軸に形成された首部４６と、頭部４５に対して逆側位置の首部４６の軸線方向の端部側に形成され、後述する復帰ばね４４が係合する復帰ばね係合部４７と、復帰ばね係合部４７から首部４６に対して逆側位置の軸方向に突出して形成された駒片４８とを備えている。
【００２６】
頭部４５の上面には、リセット棒４３を軸回りに回転させるためにプラスドライバなどの工具が係合する溝穴４９が形成され、頭部４５近くの外周には、自動リセット用回転規制凹部５０及び手動リセット用回転規制面５１が形成され、首部４６の復帰ばね係合部４７側の外周には、自動リセット係合部５２が突出して形成されている。
自動リセット用回転規制凹部５０は、頭部４５近くの外周に軸線Ｐに直交する方向に延在し、面方向が軸線Ｐに沿っている平坦な凹部底面５０ａが形成されている。
【００２７】
手動リセット用回転規制面５１は軸線Ｐに沿って形成され、凹部底面５０ａに直交する平面である。図８（ｂ）に示すように、頭部４５の外周面から凹部底面５０ａまでの幅寸法Ｄ１は、頭部４５の外周面から手動リセット用回転規制面５１までの幅寸法Ｄ２と略同一寸法に設定されている（Ｄ１≒Ｄ２）。
スライドカバー５５は樹脂部材であり、図９（ａ），（ｂ）に示すように、リセット棒通過窓５５ａと、調整ダイヤル操作窓５５ｂとが設けられているとともに、絶縁ケース１７の上部に設けたレール（不図示）に摺動自在に係合するスライド案内部５５ｃ，５５ｄとを備えている。
【００２８】
リセット棒通過窓５５ａは、スライド案内部５５ｃ，５５ｄが延在する方向に長軸を一致させた長穴形状とされており、その長軸方向一端側５５ａ１の短軸方向の幅Ｈ１は、リセット棒４３の凹部底面５０ａ及び手動リセット用回転規制面５１の幅寸法Ｄ１，Ｄ２より僅かに大きな寸法に設定されている。また、長軸方向他端側５５ａ２の短軸方向の幅Ｈ２は、長軸方向一端側５５ａ１の短軸方向の幅Ｈ１より大きい寸法であって、リセット棒４３の頭部４５の外径寸法Ｄ（図８（ｂ）参照：Ｄ＞Ｄ１）より僅かに大きな寸法に設定されている。
【００２９】
そして、リセット棒通過窓５５ａの長軸方向一端側５５ａ１の周縁には、リセット棒４３の回転により凹部底面５０ａ、或いは手動リセット用回転規制面５１に対向する位置に、直線状の平面としてカバー側回転規制面５５ｅが形成されている。
リセット棒４３は、図１０に示すように、頭部４５が絶縁ケース１７の上部に装着したスライドカバー５５のリセット棒通過窓５５ａに係合し、首部４６の周面が絶縁ケース１７の内部に設けた係止板１７ｂの切欠き穴１７ｃに摺動自在に当接し、復帰ばね係合部４７の周面が絶縁ケース１７の側部内壁の下部に摺動自在に当接し、復帰ばね４４が、復帰ばね係合部４７に当接して上方にばね力を付与して配置されている。
【００３０】
ここで、本発明のケースが絶縁ケース１７に対応し、本発明のバイメタルが主バイメタル１８に対応し、本発明の接点反転機構が反転機構２１に対応し、本発明のカバーがスライドカバー５５に対応し、本発明のカバー側回転規制面がカバー側回転規制面５５ｅに対応し、本発明の手動リセット用回転規制面が手動リセット用回転規制面５１に対応し、本発明の自動リセット用回転規制面が自動リセット用回転規制凹部５０の凹部底面５０ａに対応し、本発明のダイヤル窓が調整ダイヤル操作窓５５ｂに対応している。
【００３１】
次に、本実施形態の熱動形過負荷継電器の動作について説明する。
図１２は、手動リセット位置を示す図、図１３は、手動・自動リセット変更位置を示す図、図１４は、自動リセット位置を示す図である。
図１２（ａ）の手動リセット位置では、絶縁ケース１７に装着したスライドカバー５５を矢印Ａ１方向に移動させることで、リセット棒４３を、リセット棒通過窓５５ａの長軸方向一端側５５ａ１に位置させている。この際、スライドカバー５５は動作表示・手動トリップ操作窓４４を覆い、スライドカバー５５の調整ダイヤル操作窓５５ｂは、調整ダイヤル２８の調整部２８ａが対応していない。また、図１２（ｂ）に示すように、リセット棒通過窓５５ａの長軸方向一端側５５ａ１に位置したリセット棒４３は、リセット棒４３を回転しようとすると、手動リセット用回転規制面５１が、リセット棒通過窓５５ａのカバー側回転規制面５５ｅに当接するので、リセット棒４３の回転が規制されている。
【００３２】
図１３（ａ）の手動・自動リセット変更位置では、スライドカバー５５を矢印Ａ２方向に移動させることで、リセット棒４３を、リセット棒通過窓５５ａの長軸方向他端側５５ａ２に位置させている。この際、スライドカバー５５は動作表示・手動トリップ操作窓４４を覆っておらず、スライドカバー５５の調整ダイヤル操作窓５５ｂは、調整ダイヤル２８の調整部２８ａに対応する。また、図１３（ｂ）、（ｃ）に示すように、リセット棒通過窓５５ａの長軸方向一端側５５ａ１に位置したリセット棒４３は、その頭部４５の外径寸法より長軸方向一端側５５ａ１が大きい開口として形成されているので、リセット棒４３の回転が可能とされている。
【００３３】
図１４（ａ）の自動リセット位置では、スライドカバー５５を矢印Ａ１方向に移動させることで、リセット棒４３を、リセット棒通過窓５５ａの長軸方向一端側５５ａ１に位置させている。この際、スライドカバー５５は動作表示・手動トリップ操作窓４４を覆い、スライドカバー５５の調整ダイヤル操作窓５５ｂは、調整ダイヤル２８の調整部２８ａが対応していない。また、図１４（ｂ）に示すように、リセット棒通過窓５５ａの長軸方向一端側５５ａ１に位置したリセット棒４３は、リセット棒４３を回転しようとすると、自動リセット用回転規制凹部５０の凹部底面５０ａが、リセット棒通過窓５５ａのカバー側回転規制面５５ｅに当接するので、リセット棒４３の回転が規制されている。
【００３４】
さて、上記構成の熱動形過負荷継電器に過負荷電流が流れると、図２に示すように、過負荷電流によってヒータ１８ａが発熱し、このヒータ１８ａを巻回した主バイメタル１８が湾曲し、その自由端の変位によってシフタ１９が図１の符号Ｑの矢印方向に変位する。変位したシフタ１９によって温度補償バイメタル２４の自由端が押圧されると、温度補償バイメタル２４に一体化された釈放レバー２３が、調整リンク２２に支持された回動軸２３ｄ，２３ｅ（図３参照）回りに時計方向に回動していき、釈放レバー２３の反転ばね押圧部２３ｆが反転ばね３６を押圧する。
【００３５】
そして、釈放レバー２３の時計方向の回動が進行し、反転ばね押圧部２３ｆの押圧力が反転ばね３６のばね力を上回ると、可動板３５が下部３５ａを支点として反転動作を行なう。また、この可動板３５の反転動作とともに、第１係合ピン３９ａを介して可動板３５の反転動作が伝達された連動板３４も、支軸３３回りに回動する。
これにより、図６（ａ）の開状態となっていたａ接点３８の固定接点３８ａ及び可動接点３８ｂが接続し（図６（ｂ）参照）、図７（ａ）の閉状態となっていたｂ接点４２の固定接点４２ａ及び可動接点４２ｂが離間し（図７（ｂ）参照）、反転機構２１の接点が切り替わって熱動形過負荷継電器がトリップ状態となる。そして、熱動形過負荷継電器のａ接点３８及びｂ接点４２の情報を基に、例えば主回路に接続した電磁接触器（不図示）を開極動作させて過負荷電流を遮断する。
【００３６】
そして、熱動形過負荷継電器がトリップ状態となって電磁接触器の過負荷電流が遮断され、所定時間の経過後に、冷却された主バイメタル１８は湾曲が矯正されて初期状態に復帰する。しかし、接点が切り替わった反転機構２１はリセット動作を加えなければ初期状態（ａ接点３８の固定接点３８ａ及び可動接点３８ｂが開状態、ｂ接点４２の固定接点４２ａ及び可動接点４２ｂが閉状態）に復帰しない。
【００３７】
そこで、図１２（ａ）に示すように、絶縁ケース１７に装着したスライドカバー５５を矢印Ａ１方向に移動させ、リセット棒４３を手動リセット位置に配置する。
この際、図１２（ｂ）に示すように、リセット棒通過窓５５ａの長軸方向一端側５５ａ１に位置したリセット棒４３は、手動リセット用回転規制面５１がリセット棒通過窓５５ａのカバー側回転規制面５５ｅに当接するので、リセット棒４３の回転が規制される。
【００３８】
この手動リセット位置においてリセット棒４３の押し込み操作を行なうと、図１０に示すように、駒片４８が下方に移動することで、駒片４８の傾斜面に接触しているａ接点側板ばね３７は、反転状態の可動板３５を押圧しながら復帰ばね係合部４７に乗り上げて接触する。その結果、反転状態の可動板３５は初期位置側に移動していき、反転ばね３６の作用が死点を超えた時点で可動板３５が復帰動作を行なう。これにより、熱動形過負荷継電器は、初期状態（ａ接点３８の固定接点３８ａ及び可動接点３８ｂが開状態、ｂ接点４２の固定接点４２ａ及び可動接点４２ｂが閉状態）に復帰する。
【００３９】
次に、手動リセット位置に配置されているリセット棒４３を、自動リセット位置にセットする手順について説明する。
先ず、図１２（ａ）の位置に配置されていたスライドカバー５５を、図１３（ａ）に示す矢印Ａ２方向に移動させ、リセット棒４３を手動・自動リセット変更位置に配置する。
この際、図１３（ａ）に示すように、リセット棒通過窓５５ａの長軸方向一端側５５ａ１に位置したリセット棒４３は回転自在となり、押し込み及び時計方向への９０°回転を行なうことで、図１３（ｂ）に示した手動リセット用回転規制面５１の位置に、図１３（ｃ）に示す自動リセット用回転規制凹部５０が移動してくる。
【００４０】
次いで、図１４（ａ）に示すように、スライドカバー５５を矢印Ａ１方向に移動させ、リセット棒４３を自動リセット位置に配置する。
この際、図１４（ｂ）に示すように、リセット棒通過窓５５ａの長軸方向一端側５５ａ１に位置したリセット棒４３は、自動リセット用回転規制凹部５０の凹部底面５０ａが、リセット棒通過窓５５ａのカバー側回転規制面５５ｅに当接するので、リセット棒４３の回転が規制される。
【００４１】
ここで、リセット棒４３の押し込み及び時計方向への９０°回転を行なうと、図１１に示すように、自動リセット係合部５２の係合面５２ａが係止板１７ｂに係合することで、リセット棒４３の押し込み状態が保持される。また、駒片４８は、下方に移動しながら、復帰ばね４４に干渉しない位置まで回転する。この駒片４８の傾斜面に接触していたａ接点側板ばね３７は、復帰ばね係合部４７に乗り上げた状態となり、可動板３５に近接する位置まで移動する。これにより、可動板３５が反転動作を行なっていない初期状態であっても、ａ接点側板ばね３７に固定されているａ接点３８の固定接点３８ａと、可動板３５に固定されているａ接点３８の可動接点３８ｂの間の隙間が小さくなる。その結果、リセット棒４３を自動リセット位置にセットすると、通電電流が規定値を超え、反転機構２１が反転動作を開始しても、可動板３５が反転動作を完了する前に可動接点３８ｂが固定接点３８ａに接触して反転しきれなくなる。そのため、主バイメタル１８が冷却すると、反転機構２１は自動的に初期状態（ａ接点３８の固定接点３８ａ及び可動接点３８ｂが開状態、ｂ接点４２の固定接点４２ａ及び可動接点４２ｂが閉状態）に復帰する。
【００４２】
次に、本実施形態の熱動形過負荷継電器の作用効果について説明する。
本実施形態の熱動形過負荷継電器は、スライドカバー５５をスライド移動させるだけで、リセット棒４３の手動リセット位置と自動リセット位置の切り替え操作を何度も行なうことができる。
また、手動リセット位置のリセット棒４３は、頭部４６に形成した手動リセット用回転規制面５１が、スライドカバー５５に設けたリセット棒通過窓５５ａのカバー側回転規制面５５ｅに当接して回転が規制されているので、不用意にリセット棒４３が自動リセット位置に切り替わるなどの動作を防止することができる。
【００４３】
また、自動リセット位置のリセット棒４３も、頭部４６に形成した自動リセット用回転規制凹部５０の凹部底面５０ａが、スライドカバー５５に設けたリセット棒通過窓５５ａのカバー側回転規制面５５ｅに当接して回転が規制されるので、不用意にリセット棒４３が手動リセット位置に切り替わるなどの動作を防止することができる。
したがって、本実施形態は、手動リセット位置及び自動リセット位置のリセット棒４３の不用意な切り替え動作を防止することで、動作信頼性を高めた熱動形過負荷継電器を提供することができる。
また、リセット棒４３は、スライドカバー５５のスライド移動により手動・自動リセット変更位置まで移動したときに、手動リセット位置、或いは自動リセット位置の姿勢に回転することができるので、さらに不用意なリセット棒４３の切り替えを防止することができる。
【００４４】
また、不用意な手動リセット位置、或いは自動リセット位置への切り替わりを防止する構造を、スライドカバー５５のリセット棒通過窓５５ａに設けたカバー側回転規制面５５ｅと、リセット棒４３の頭部４６に形成した手動リセット用回転規制面５１及び自動リセット用回転規制凹部５０の凹部底面５０ａとからなる簡便な構成で達成することができるので、熱動形過負荷継電器の製造コストの低減化を図ることができる。
また、リセット棒４３が手動リセット位置及び自動リセット位置に配置されているときには、スライドカバー５５が調整ダイヤル２８の調整部２８ａを覆い、且つ、動作表示・手動トリップ操作窓４４も覆っているので、熱動形過負荷継電器の誤操作を防止することができる。
【符号の説明】
【００４５】
１７…絶縁ケース、１７ｂ…係止板、１７ｃ…切欠き穴、１８…主バイメタル、１８ａ…ヒータ、１９…シフタ、２０…調整機構、２１…反転機構、２２…調整リンク、２３…釈放レバー、２３ａ…基板、２３ｂ，２３ｃ…折曲板、２３ｄ，２３ｅ…回動軸、２３ｆ…反転ばね押圧部、２３ｇ…カム接触部、２４…温度補償バイメタル、２５…リンク支持部、２５ａ…対向板、２５ａ１…軸受穴、２５ｂ…開口部、２５ｃ…連結板、２６…脚部、２６ａ…軸受穴、２７…支軸、２８…調整ダイヤル、２８ａ…調整部、２８ｂ…偏心カム、３１…かしめ固定部、３２…反転機構支持部、３２ａ…ばね支持部、３３…支軸、３４…連動板、３５…可動板、３５ａ…可動板の下部、３５ｂ…可動板の上部、３５ｃ…係合穴、３６…反転ばね、３７…ａ接点側板ばね、３７ａ…ａ接点側板ばねの先端部、３８…ａ接点、３８ａ…固定接点、３８ｂ…可動接点、３９ａ…係合ピン、３９ｂ…係合ピン、４０…ｂ接点側板ばね、４１…接点支持板、４２…ｂ接点、４２ａ…固定接点、４２ｂ…可動接点、４３…リセット棒、４４…復帰ばね、４５…頭部、４６…首部、４７…復帰ばね係合部、４８…駒片、４９…溝穴、５０…自動リセット用回転規制凹部、５０ａ…凹部底面、５１…手動リセット用回転規制面、５２…自動リセット係合部、５５…スライドカバー、５５ａ…リセット棒通過窓、５５ａ１…長軸方向一端側、５５ａ２…長軸方向他端側、５５ｂ…調整ダイヤル操作窓、５５ｃ，５５ｄ…スライド案内部、５５ｅ…カバー側回転規制面、Ｐ…リセット棒の軸
【図１】
2012146400.tif 000003
【図２】
2012146400.tif 000004
【図３】
2012146400.tif 000005
【図４】
2012146400.tif 000006
【図５】
2012146400.tif 000007
【図６】
2012146400.tif 000008
【図７】
2012146400.tif 000009
【図８】
2012146400.tif 000010
【図９】
2012146400.tif 000011
【図１０】
2012146400.tif 000012
【図１１】
2012146400.tif 000013
【図１２】
2012146400.tif 000014
【図１３】
2012146400.tif 000015
【図１４】
2012146400.tif 000016
【図１５】
2012146400.tif 000017
【図１６】
2012146400.tif 000018